(57)【要約】【課題】持ち運びや注出するときに扱いやすく、店頭での展示効果がよく、大型化が可能な取手付スタンディングパウチを提供する。【解決手段】長方形のスタンディングパウチの内容物収納部の形状を、口頸部をもつ所定容器の投影相似形状にし、この内容物収納部の口頸部位置のスタンディングパウチ裏面に、左右方向の幅がスタンディングパウチと同じ幅で、上下方向の高さが口頸部の高さに下方の貼着部の高さを加えた高さで、中央位置に取手孔をもち、貼着部上方の口頸部対応位置に上部半円状切欠きを設けた取手シートを、取手シートの貼着部をスタンディングパウチ裏面にヒートシールして貼着し、キャップがスパウトに装着する口栓を、口頸部の先端口部に取り付け、内容物を内容物収納部に収納して密封したのちに、口頸部下端より上方のスタンディングパウチを表面側へ折り曲げて係止しする。【選択図】図１
2006001566.tif 000002
【特許請求の範囲】
【請求項１】
長方形のスタンディングパウチの未ヒートシールの内容物収納部の形状を、口頸部をもつ所定容器の投影相似形状にし、この内容物収納部の口頸部位置のスタンディングパウチ裏面に、左右方向の幅がスタンディングパウチと同じ幅で、上下方向の高さが口頸部の高さに下方の貼着部の高さを加えた高さで、中央位置に取手孔をもち、貼着部上方の口頸部対応位置に上部半円状切欠きを設けた取手シートを、取手シートの貼着部をスタンディングパウチ裏面に貼着し、キャップがスパウトに装着する口栓を、口頸部の先端口部に取り付け、かつ、内容物を内容物収納部に収納して密封したのちに、口頸部下端より上方のスタンディングパウチを表面側へ折り曲げて係止したことを特徴とする取手付スタンディングパウチ。
【請求項２】
口栓のスパウトに、逆止弁を内蔵させたことを特徴とする請求項１記載の取手付スタンディングパウチ。
【請求項３】
口頸部より上方のスタンディングパウチを表面側へ折り曲げて、テープ止めして係止したことを特徴とする請求項１又は２記載の取手付スタンディングパウチ。  
【発明の詳細な説明】
【技術分野】
【０００１】
本発明は、清酒、果汁飲料、調味料などの液体食品や洗剤などの液体非食品に使用する取手付スタンディングパウチに関するものである。
【背景技術】
【０００２】
従来、液体内容物は、プラスチックボトル、ガラス瓶、液体用紙容器やスタンディングパウチなどに収納され、流通過程を経て店頭に展示されて販売されていた。
【発明の開示】
【発明が解決しようとする課題】
【０００３】
しかしながら、プラスチックボトルは、環境保全の立場から樹脂量を減らす必要があり、ガラス瓶は、重くて破損しやすく、液体用紙容器は、現在では店頭での展示効果における新規性が薄れ、スタンディングパウチは、有底で自立するパウチであるが、内容物が１２０〜３００ｇの比較的に少量のものに使用され、大型でもせいぜい１リットルまでであり、それ以上に大型化すると、自立性が悪なり、また、持ち運びや注出するときに扱いにくい不便さがあった。
【０００４】
本発明は、上述の従来の液体内容物に使用される容器の問題点を解決したものであり、持ち運びや注出するときに扱いやすく、店頭での展示効果がよく、大型化が可能な取手付スタンディングパウチを提供するものである。
【課題を解決するための手段】
【０００５】
すなわち、長方形のスタンディングパウチの未ヒートシールの内容物収納部の形状を、口頸部をもつ所定容器の投影相似形状にし、この内容物収納部の口頸部位置のスタンディングパウチ裏面に、左右方向の幅がスタンディングパウチと同じ幅で、上下方向の高さが口頸部の高さに下方の貼着部の高さを加えた高さで、中央位置に取手孔をもち、貼着部上方の口頸部対応位置に上部半円状切欠きを設けた取手シートを、取手シートの貼着部をスタンディングパウチ裏面に貼着し、キャップがスパウトに装着する口栓を、口頸部の先端口部に取り付け、かつ、内容物を内容物収納部に収納して密封したのちに、口頸部下端より上方のスタンディングパウチを表面側へ折り曲げて係止したことを特徴とする取手付スタンディングパウチである。
【０００６】
次に、本発明の第２の発明は、口栓のスパウトに、逆止弁を内蔵させたことを特徴とする第１の発明に記載の取手付スタンディングパウチである。
【０００７】
そして、本発明の第３の発明は、口頸部より上方のスタンディングパウチを表面側へ折り曲げて、テープ止めして係止したことを特徴とする第１の発明又は第２の発明に記載の取手付スタンディングパウチである。
【発明の効果】
【０００８】
本発明の取手付スタンディングパウチ（１０）は、未使用のときには、図１に示すように、内容物収容部（１１０）の口頸部（１１１）下端より上方のスタンディングパウチ（１００）が表面側へ折り曲げられて係止し、パウチの裏面に貼着する取手シート（２００）がスタンディングパウチの上方に突出しており、持ち運ぶときに、この取手シートの取手孔（２１０）に指を入れて吊り下げることができるので、大型化しても安定した持ち運びが可能となる。
【０００９】
また、本発明の取手付スタンディングパウチ（１０）は、使用するときに、図２に示すように、表面側へ折り曲げられている内容物収容部（１１０）の口頸部（１１１）より上方のスタンディングパウチの係止を外して真っ直ぐにし、口栓のキャップを外してスパウト（３１０）（ｓｐｏｕｔ）を開口して、取手シート（２００）の取手孔（２１０）に一方の手の指を入れて取手シートを上方に引き立ててスタンディングパウチを持ち上げ、他方の手の指で口頸部側を下方へ傾斜させたスタンディングパウチの内容物収容部の胴部（１１３）を、口頸部方向へスクィーズ（ｓｑｕｅｅｚｅ）することにより、内容物をスパウトから注出することができ、内容物を注出するときに扱いやすい。
【００１０】
また、本発明の取手付スタンディングパウチは、店頭で取手シートの取手孔で吊り下げた状態で展示することができ、店頭での展示効果が高く、また、新規性があるので販売促進性も高い。
【発明を実施するための最良の形態】
【００１１】
次に、本発明の取手付スタンディングパウチの一実施形態について、図を用いて詳細に説明する。
【００１２】
図１は、本実施形態の取手付スタンディングパウチの構造を示す説明図であり、図２は、その取手付スタンディングパウチの口栓を開封して、内容物を注出するときの状態を示す説明図である。図３は、ビス止め用の取手シートの平面図である。
【００１３】
本実施形態の取手付スタンディングパウチ（１０）の構造は、図１に示すように、長方形のスタンディングパウチ（１００）の左右端縁部及び下端周縁部の表裏フィルムのヒートシール部（１２０）により形成された内容物収納部（１１０）の形状を、一升瓶の投影相似形状にし、この内容物収納部の口頸部位置のスタンディングパウチ裏面に、左右方向の幅がスタンディングパウチと同じ幅で、上下方向の高さが口頸部の高さに下方の貼着部（２２０）の高さを加えた高さで、中央位置に取手孔（２１０）をもち、貼着部上方の口頸部対応位置に上部半円状切欠き（２３０）を設けた取手シート（２００）を、取手シートの貼着部をスタンディングパウチ裏面にヒートシールして貼着し、口頸部の先端口部に、キャップ（３２０）がスパウト（３１０）に螺着する口栓（３００）を、スパウトの下端部外周面を口頸部の先端口部内周面に超音波シール法などで熱融着して取り付け、内容物を内容物収納部に収納して密封したのちに、口頸部下端より上方のスタンディングパウチを表面側へ折り曲げてテープ止めするものである。なお、内容物収納部は、上方から口頸部、肩部（１１２）、胴部（１１３）、有底の底部（１１４）とからなる。折り曲げた口頸部下端より上方のスタンディングパウチを係止する方法は、上述のテープ止めに限るものではなく、適切な方法で係止してよい。
【００１４】
また、取手シートをスタンディングパウチ裏面に貼着する方法は、ヒートシールに限るものではなく、取手シートの貼着部をスタンディングパウチの両側縁部のシートシール部に、ビス止めで取手シートを取り付けてもよい。この取手シート（２００）は、例えば図３に示すように、倒立Ｕ字状の取手シート本体の両側下端に、それぞれ横の折り目線（２０１）を介して、左右中央位置に縦の折り目線（２４１）をもちこの折り目線で折り畳んだときに重なり合うビス止め孔（２４２）を両側に設けた挟着貼着板（２４０）を連設するものである。なお、スタンディングパウチへの取り付けは、スタンディングパウチの上端部のヒートシール部を、取手シートの挟着貼着板の折り目線で折り畳んで挟着してビス止めするものである。
【００１５】
本実施形態の取手付スタンディングパウチに収納する内容物を注出する方法は、まず、表面側へ折り曲げられてテープ止めされている口頸部下端より上方のスタンディングパウチのテープを剥がし、口栓のキャップを螺脱してスパウトを開口し、例えば図２に示すよ
うに、右手の五指で取手シート（２００）の取手孔（２１０）を掴んで立て、口頸部（１１１）側を下方へスタンディングパウチ（１００）を傾斜させて、内容物収納部（１１０）の胴部（１１３）を左手の五指で口頸部側へスクィーズして、スパウト（３１０）から内容物収納部に収納する内容物を注出するものである。なお、スパウト内に、逆止弁を内蔵して置くと、スタンディングパウチが倒れても内容物がスパウトから漏れることが防げる。また、取手孔を掴んで取手シートを立てたときに、取手シートの貼着部上方の口頸部対応位置に上部半円状切欠きがあるために、取手シートが口頸部により妨げられることがない。
【図面の簡単な説明】
【００１６】
【図１】本発明の一実施形態の取手付スタンディングパウチの構造を示す説明図である。
【図２】本発明の一実施形態の取手付スタンディングパウチの口栓を開封して、内容物を注出するときの状態を示す説明図である。
【図３】本発明に係わる他の一実施形態の取手シートの平面図である。
【符号の説明】
【００１７】
１０……取手付スタンディングパウチ
１００……スタンディングパウチ
１１０……内容物収納部
１１１……口頸部
１１２……肩部
１１３……胴部
１１４……底部
１２０……ヒートシール部
２００……取手シート
２０１，２４１……折り目線
２１０……取手孔
２２０……貼着部
２３０……上部半円状切欠き
２４０……挟着貼着板
２４２……ビス止め孔
３００……口栓
３１０……スパウト
３２０……キャップ
【図１】
2006001566.tif 000003
【図２】
2006001566.tif 000004
【図３】
2006001566.tif 000005